(57)【要約】【課題】本発明は、建物の床下管を切断するときに高い施工精度が必要とせず、作業を非常に容易なものとし、配管施工の作業性を向上させることを課題とする。【解決手段】建物の床上管と床下管とを接続するための接続継手３であって、建物の床板に固定的に取り付けられる固定座５と、該固定座５に対して上下摺動可能に取り付けられる摺動継手６とからなり、該摺動継手６の上部には該床上管が接続される上側接続口１２が設けられ、該摺動継手６の下部には該床下管が接続される下側接続口１６が設けられている接続継手３を提供する。【選択図】    図１
2005344794.tif 000002
【特許請求の範囲】
【請求項１】
建物の床上管と床下管とを接続するための接続継手であって、建物の床板に固定的に取り付けられる固定座と、該固定座に対して上下摺動可能に取り付けられる摺動継手とからなり、該摺動継手の上部には該床上管が接続される上側接続口が設けられ、該摺動継手の下部には該床下管が接続される下側接続口が設けられていることを特徴とする接続継手。
【請求項２】
該摺動継手は該固定座に対して左右回転不能に取り付けられており、該摺動継手の上側接続口には該床上管が螺着して接続されるねじ部が設けられている請求項１に記載の接続継手。
【請求項３】
建物の床下管を床面から所定の高さで切断する工程１と、該切断した床下管に請求項１または請求項２に記載の接続継手の摺動継手を接続する工程２と、該摺動継手に請求項１または請求項２に記載の接続継手の固定座を取り付ける工程３と、該固定座を床板に取り付け固定する工程４と、該摺動継手に建物の床上管を接続する工程５とからなることを特徴とする配管施工方法。
【請求項４】
上記工程１において、建物の床下管を床面から０ｍｍ〜１０ｍｍの高さで切断する請求項３に記載の配管施工方法。
【発明の詳細な説明】
【技術分野】
【０００１】
本発明は、建物の床上管と床下管とを接続するための接続継手と、該接続継手を用いる配管施工方法に関する。
【背景技術】
【０００２】
従来、床上の配管（床上管）と床下の配管（床下管）とを接続するための管継手（接続継手）として、管継手の継手本体の側面部に、管継手を床に固定するためのフランジ部を一体的に設けた管継手が一般に提供されている（特許文献１参照）。
そして上記の管継手を用いて床上の配管と床下の配管とを接続する施工を行う場合には、まず、床下の配管を床面の高さで切断して、該切断した床下の配管に該管継手の継手本体の下側の配管接続部を接続し、次に、該フランジ部を床にネジ止めして該管継手を固定し、最後に、床上の配管を該管継手の継手本体の上側の配管接続部を接続する。
【０００３】
【特許文献１】特開平８−２６１３６９号公報（第２−４頁、第１図）
【発明の開示】
【発明が解決しようとする課題】
【０００４】
しかしながら上記従来の管継手では、フランジ部が継手本体の側面部に一体的に設けられているので、フランジ部に対して継手本体を上下に位置調節することができない。そのため、床下の配管を床面の高さよりも低い位置で切断してしまうと、該床下の配管を該継手本体に十分に挿し込むことができず、該床下の配管を該継手本体に強固に接続することができないという問題があり、また、該継手本体の内部に段差が生じ、円滑な水流が確保できないという問題があった。
一方、床下の配管を床面の高さよりも高い位置で切断してしまうと、フランジ部の下面が床の上面に当接させることができず、管継手を床に強固に固定することができないという問題があった。
したがって、床下の配管を床面の高さで切断するときに高い施工精度が要求され、作業に熟練を要するという問題があった。
【課題を解決するための手段】
【０００５】
本発明は上記従来の課題を解決するための手段として、建物の床上管１と床下管２とを接続するための接続継手３であって、建物の床板４に固定的に取り付けられる固定座５と、該固定座５に対して上下摺動可能に取り付けられる摺動継手６とからなり、該摺動継手６の上部には該床上管１が接続される上側接続口１２が設けられ、該摺動継手６の下部には該床下管２が接続される下側接続口１６が設けられている接続継手３を提供するものである。
該摺動継手６は該固定座５に対して左右回転不能に取り付けられており、該摺動継手６の上側接続口１２には該床上管１が螺着して接続されるねじ部１３が設けられていることが望ましい。
また本発明では、建物の床下管２を床面Ｌから所定の高さで切断する工程１と、該切断した床下管２に上記の接続継手３の摺動継手６を接続する工程２と、該摺動継手６に上記の接続継手３の固定座５を取り付ける工程３と、該固定座５を床板４に取り付け固定する工程４と、該摺動継手６に建物の床上管１を接続する工程５とからなることを特徴とする配管施工方法が提供される。
上記工程１において、建物の床下管２を床面Ｌから０ｍｍ〜１０ｍｍの高さで切断することが望ましい。
【発明の効果】
【０００６】
本発明の接続継手３および配管施工方法では、接続継手３の摺動継手６を固定座５に対して上下に摺動させて、該摺動継手６と該固定座５との相対位置を調節することができる。
そのため、建物の床下管２を床面Ｌから所定の高さで切断し、該切断した床下管２に該接続継手３の摺動継手６を接続した後、該摺動継手６と該固定座５との相対位置を調節して該摺動継手６に該固定座５を取り付けることができるとともに、該固定座５の下面を床板４の上面に確実に当接させて、該固定座５を該床板４に強固に取り付け固定することができる。
また本発明では、床下管２を床面Ｌの高さよりも低い位置で切断してしまうことがないので、該床下管２を該摺動継手６に十分に挿し込んで、該床下管２を該摺動継手６に強固に接続することができるとともに、該摺動継手６の内部に段差が生じることもないので、円滑な水流を確保することができる。
従って本発明では、建物の床下管２を切断するときに高い施工精度が必要とされることがなく、作業が非常に容易になり、配管施工の作業性が向上する。
【発明を実施するための最良の形態】
【０００７】
以下、本発明を実施例１〜実施例３により詳細に説明する。
【実施例１】
【０００８】
本発明を図１〜図７に示す一実施例によって説明する。
図１および図２に示すように、建物の床上管である止水栓１と床下管である給水管２とを接続するための接続継手３は、建物の床板４に固定的に取り付けられる固定座５と、該固定座５に対して上下摺動可能かつ左右回転不能に取り付けられる摺動継手６とからなる。
【０００９】
該固定座５の下部には円形のフランジ板７が設けられており、該フランジ板７の中央部には多角形状である六角形状の中央挿通孔８が設けられている。該中央挿通孔８の周囲には六角形状のガイドリブ９が立設されており、該ガイドリブ９の外側において該フランジ板７には六個のビス挿通孔１０が設けられている。
【００１０】
該摺動継手６の上部には、該フランジ板７の中央挿通孔８の形状に対応する多角柱状である六角柱状の上側接続部１１が設けられており、該上側接続部１１の中央部には上側接続口１２が設けられている。該上側接続口１２の内部には、該止水栓１が螺着して接続されるねじ部であるねじ金具１３が取り付けられている。また、該上側接続部１１の六つの外周面には、目印凹部１４がそれぞれ設けられており、該目印凹部１４の上端部は、該上側接続口１２の上端部から１１ｍｍの位置に設定されている。
なお、本実施例では、上側接続部１１の高さはガイドリブ９の高さよりも１ｍｍ高く設定されており、床面Ｌの高さレベルで固定座５に摺動継手６を挿着した状態では、該摺動継手６の上側接続部１１の上端は、該固定座５のガイドリブ９の上端から１ｍｍ突出した状態とされている（図５および図６参照）。
【００１１】
一方、該摺動継手６の下部には、円柱状の下側接続部１５が設けられており、該下側接続部１５の中央部には、給水管２が接続される下側接続口１６が設けられている。また、該下側接続口１６の内周面は、下側に向けて広がったテーパー形状とされている。
【００１２】
上記の接続継手３を用いて配管施工をする場合、給水管２は前もって固定具（図示せず）によって床下で支持固定されており、図３において破線で示すように、該給水管２は床板４の開口部１７から突出されている。そして、建物の床上から、該給水管２のうち床板４の開口部１７から突出した部分（図３における破線部分）を床面Ｌから０ｍｍ〜１０ｍｍの高さで切断する（工程１）。
【００１３】
次いで、図４に示すように、該切断した給水管２の上端部に該接続継手３の摺動継手６の下側接続口１６を上側から外嵌し、該給水管２の外周面と該摺動継手６の下側接続口１６の内周面とを接着剤によって接着して、該給水管２に該接続継手３の摺動継手６を接続する（工程２）。
【００１４】
そして、図５に示すように、該摺動継手６の上側接続部１１に該接続継手３の固定座５の中央挿通孔８を上側から挿着し、該摺動継手６に該接続継手３の固定座５を取り付ける（工程３）。
その後、該接続継手３の固定座５を該摺動継手６に対して下方に摺動させて、該固定座５のフランジ板７の下面を床板４の上面に当接させ、該フランジ板７のビス挿通孔１０にビス１８を挿通して、該固定座５を該床板４にビス止めして取付け固定する（工程４）。
このとき、該固定座５の中央挿通孔８の形状（六角形状）が、該摺動継手６の上側接続部１１の形状に対応した形状（六角柱状）とされているため、該接続継手３の固定座５は該摺動継手６に上下摺動可能かつ左右回転不能に取り付けられる。また、該中央挿通孔８の周囲には六角形状のガイドリブ９が立設されているので、該接続継手３の固定座５を該摺動継手６に対して上下に摺動させる場合に、該固定座５は該ガイドリブ９によってガイドされる。
【００１５】
最後に、図６に示すように、該摺動継手６の上側接続部１１のねじ金具１３に、止水栓１の下部に設けられたねじ部１９を螺着して接続した後、該止水栓１の下部に上下摺動可能に外嵌されている椀座２０を該接続継手３の上側に覆着する（工程５）。
なお本実施例では、該止水栓１の上部には固定部（図示せず）が設けられており、該接続継手３に接続された止水栓１は、該固定部を介して建物に対して上下に摺動するのが防止されている。従って、該止水栓１が接続された接続継手３の摺動継手６は、該止水栓１の固定部を介して、床板４に固定された固定座５に対して上下に摺動するのが防止されている。
【００１６】
上記のような接続継手３および配管施工方法では、接続継手３の摺動継手６を固定座５に対して上下に摺動させて、該摺動継手６と該固定座５との相対位置を調節することができる。
そのため、給水管２を床面Ｌから所定の高さで切断し、該切断した給水管２に該接続継手３の摺動継手６を接続した後、該摺動継手６と該固定座５との相対位置を調節して該摺動継手６に該固定座５を取り付けることができ、かつ、該固定座５の下面を床板４の上面に確実に当接させて、該固定座５を該床板４に強固に取り付け固定することができる。
また、給水管２を床面Ｌの高さよりも低い位置で切断してしまうことがないので、該給水管２を該摺動継手６に十分に挿し込むことができ、該給水管２を該摺動継手６に強固に接続することができる。その上、該摺動継手６の内部に段差が生じることもないので、円滑な水流を確保することができる。
更に、該接続継手３と該給水管２との接続作業、該接続継手３と該止水栓１との接続作業は、建物の床上から行うことができる。
従って、給水管２を切断するときに高い施工精度が必要とされることがなく、作業が非常に容易になり、配管施工の作業性が向上する。
【００１７】
また本実施例では、図７に示すように、該接続継手３の摺動継手６の上側接続部１１の外周面に、該上側接続口１２の上端部から１１ｍｍの位置に目印凹部１４が設けられており、かつ、上側接続部１１の高さがガイドリブ９の高さよりも１ｍｍ高く設定されているので、該給水管２を床面Ｌから１０ｍｍよりも高い位置で切断した場合、該摺動継手６に該接続継手３の固定座５を取り付けたときに、該摺動継手６の目印凹部１４が固定座５のガイドリブ９の上端部から外出し、該目印凹部１４を目視によって容易に確認することができ、従って、該給水管２を床面Ｌから１０ｍｍよりも高い位置で切断してしまうのを防止することができる。
また、図５および図６に示すように、床面Ｌで切断した給水管２に取り付けた摺動継手６を固定座５に挿着した状態で、該摺動継手６の上側接続部１１の上端が、該固定座５のガイドリブ９の上端から１ｍｍ突出した状態とされているので、施工作業時に目視による確認が容易である。
【００１８】
更に本実施例では、該給水管２の切断位置は、例えば床面Ｌから５ｍｍの高さ位置に設定されている。
このように、該給水管２の切断位置を床面Ｌから５ｍｍの高さの位置に設定することによって、該給水管２の切断作業をするときに±５ｍｍのズレが生じた場合であっても、該接続継手３の摺動継手６が該固定座５に対して上下に摺動することによって、該摺動継手６と該固定座５との相対位置を調節して該ズレを吸収することができ、かつ、該固定座５の下面を床板４の上面に確実に当接させて、該固定座５を該床板４に強固に取り付け固定することができる。
【実施例２】
【００１９】
図８には他の実施例が示される。
図１〜図７に示した前実施例に対して、図８に示す本実施例の接続継手３では、固定座５の下部のフランジ板７が厚肉とされており、該厚肉のフランジ板７には切欠き部２１を介してビス挿通孔１０が設けられている。
【００２０】
上記の接続継手３でも、実施例１３と同様の作用効果を奏することができる
その上、本実施例では、固定座５のフランジ部７が厚肉とされているので、該固定座５の剛性が高くなり、そのため、摺動継手６の上側接続部１１のねじ金具１３に止水栓１の下部のねじ部１９を螺着する時の締付けトルクによって該固定座５が変形するのを防止することができる。
【実施例３】
【００２１】
図９には更に他の実施例が示される。
図１〜図７に示した前実施例に対して、図９に示す本実施例の接続継手３では、固定座５の下部のフランジ板７が厚肉とされており、該厚肉のフランジ板７にはビス挿通孔１０が設けられている。
【００２２】
上記の接続継手３でも、実施例１と同様の作用効果を奏することができる
その上、実施例２と同様、固定座５のフランジ部７が厚肉とされているので、該固定座５の剛性が高くなり、そのため、摺動継手６の上側接続部１１のねじ金具１３に止水栓１の下部のねじ部１９を螺着する時の締付けトルクによって該固定座５が変形するのを防止することができる。
【００２３】
以上、本発明の実施の形態を実施例により説明したが、本発明の範囲はこれらに限定されるものではなく、請求項に記載された範囲内において目的に応じて変更・変形することが可能である。
例えば、本実施例以外、建物の床上管１は屋内排水設備からの排水管（図示せず）であり、床下管２は床下排水管（図示せず）であってもよい。
また、接続継手３の摺動継手６の上側接続口１２に設けられ建物の床上管１が螺着して接続されるねじ部１３は、該摺動継手６と一体的に設けられていてもよい。
更に、本実施例以外、床上管１はねじ付き単管であってもよい。
また更に、床上管１が例えば塩化ビニル樹脂等の樹脂製の床上管１の場合には、摺動継手６の上側接続口１２は、接着受口やゴム輪受口であってもよい。
【産業上の利用可能性】
【００２４】
本発明は、建物の床下管を切断するときに高い施工精度が必要とされることがなく、作業が非常に容易になり、配管施工の作業性が向上する接続継手および配管施工方法として、産業上利用することが出来る。
【図面の簡単な説明】
【００２５】
【図１】接続継手の分解斜視図である。
【図２】接続継手の分解側断面図である。
【図３】配管施工方法の工程１の説明側断面図である。
【図４】配管施工方法の工程２の説明側断面図である。
【図５】配管施工方法の工程３および工程４の説明側断面図である。
【図６】配管施工方法の工程５の説明側断面図である。
【図７】床面から所定の高さで切断した床下管に接続継手を取付けた様子を示す説明側断面図である。
【図８】他の実施例の接続継手の分解斜視図である。
【図９】更に他の実施例の接続継手の分解斜視図である。
【符号の説明】
【００２６】
１  床上管（止水栓）
２  床下管（給水管）
３  接続継手
４  床板
５  固定座
６  摺動継手
１２  上側接続口
１３  ねじ部（ねじ金具）
１６  下側接続口
Ｌ  床面
【図１】
2005344794.tif 000003
【図２】
2005344794.tif 000004
【図３】
2005344794.tif 000005
【図４】
2005344794.tif 000006
【図５】
2005344794.tif 000007
【図６】
2005344794.tif 000008
【図７】
2005344794.tif 000009
【図８】
2005344794.tif 000010
【図９】
2005344794.tif 000011